【手続補正書】
【提出日】平成29年6月21日(2017.6.21)
【手続補正１】
【補正対象書類名】明細書
【補正対象項目名】００７２
【補正方法】変更
【補正の内容】
【００７２】
本明細書に開示される特定の例示的な要素、構造、特徴、詳細、構成等を、多くの実施形態において修正及び／又は組み合わせることができることは、当業者には自明であろう。全てのかかる変形例及び組み合わせは、発明者によって、考えられる発明の境界内であると企図され、例示的な図示として役立つように選択された単なる代表的な設計ではない。したがって、本発明の範囲は、本明細書に記載される特定の例示的構造に限定されるべきではなく、むしろ少なくとも請求項の文言によって説明される構造、及びそれらの構造に相当する構造にまで拡大する。本明細書に代替物として積極的に記載される要素のいずれも、望ましい任意の組み合わせにおいて、特許請求の範囲に明確に含まれる場合も、又は特許請求の範囲から除外される場合もある。非限定用語（例えば、含む、及びその派生語）で本明細書に記載される要素のいずれか又は要素の組み合わせは、限定用語（例えば、〜からなる、及びその派生語）で、及び部分的な限定用語（例えば、ほぼ〜からなる、及びその派生語）で更に記載されることが考慮される。様々な理論及び可能な機構が本明細書において論じられたが、いかなる場合もこのような考察が請求できる対象物を限定する役割を果たすことはない。記載される本明細書と、参照により本明細書に組み込まれる全ての文書内の開示との間にいずれかの不一致又は矛盾が存在する限りにおいて、記載される本明細書が優先される。本発明の実施態様の一部を以下の項目［１］−［１９］に記載する。
［項目１］
熱安定性不織布ウェブであって、
メルトブローン繊維であって、
少なくとも選択されたメルトブローン繊維が、各々ポリ（ブチレンテレフタレート）（ＰＢＴ）とポリ（エチレンテレフタレート）（ＰＥＴ）とのブレンドを含むブレンドポリマー繊維であり、約８０：２０〜約３０：７０のＰＢＴ対ＰＥＴの平均重量比を呈する、メルトブローン繊維と、
短繊維であって、
前記ウェブの前記繊維材料の総重量の約１０重量％〜約６０重量％を構成する、短繊維と、を含み、
前記熱安定性不織布ウェブが、約１０％未満の熱収縮を呈する、熱安定性不織布ウェブ。
［項目２］
前記メルトブローン繊維が、約７０：３０〜約３５：６５のＰＢＴ対ＰＥＴの平均重量比を呈する、項目１に記載のウェブ。
［項目３］
前記ＰＥＴが、非ポリマー成核剤を実質的に含まない、項目１に記載のウェブ。
［項目４］
前記メルトブローン繊維が集合的に、約１０マイクロメートル未満の平均繊維直径を呈する、項目１に記載のウェブ。
［項目５］
前記短繊維が、前記ウェブの前記繊維材料の総重量の約２０重量％〜約６０重量％を構成する、項目１に記載のウェブ。
［項目６］
前記短繊維が、前記ウェブの前記繊維材料の総重量の約３０重量％〜約６０重量％を構成する、項目１に記載のウェブ。
［項目７］
前記短繊維が、前記ウェブの前記繊維材料の総重量の約４０重量％〜約６０重量％を構成する、項目１に記載のウェブ。
［項目８］
前記短繊維が、ＰＥＴ繊維である、項目１に記載のウェブ。
［項目９］
前記ウェブが、約６％未満の熱収縮を呈する、項目１に記載のウェブ。
［項目１０］
前記ウェブが、約４％未満の熱収縮を呈する、項目１に記載のウェブ。
［項目１１］
前記ウェブが、約２％未満の熱収縮を呈する、項目１に記載のウェブ。
［項目１２］
前記メルトブローン繊維が集合的に、２００℃未満のＴｍを呈する、約５重量％以下の任意のポリマー材料を含む、項目１に記載のウェブ。
［項目１３］
前記メルトブローン繊維が、２００℃未満のＴｍを有するいかなるポリマー材料も実質的に含まない、項目１に記載のウェブ。
［項目１４］
項目１に記載の熱安定性不織布ウェブを含む物品であって、断熱物品、防音物品、液体濾過物品、又はこれらの組み合わせからなる群から選択される、物品。
［項目１５］
前記物品が、約５％未満の熱収縮を呈する防音物品である、項目１４に記載の物品。
［項目１６］
メルトブローンダイのオリフィスを通して溶融ブレンドポリマーフローストリームを押し出して、溶融ブレンドポリマーフィラメントを形成することと、
高速気体流で前記溶融ブレンドポリマーフィラメントを細径化して、ブレンドポリマーメルトブローン繊維の空中流を形成することと、
短繊維の空中流を前記ブレンドポリマーメルトブローン繊維の空中流内に注入すること
と、
前記混在したメルトブローンブレンドポリマー繊維及び短繊維を繊維の塊として捕集することと、を含む方法であって、
少なくとも選択されたメルトブローンブレンドポリマー繊維が、各々、ポリ（ブチレンテレフタレート）（ＰＢＴ）とポリ（エチレンテレフタレート）（ＰＥＴ）とのブレンドを含み、
前記メルトブローン繊維が、約８０：２０〜約３０：７０のＰＢＴ対ＰＥＴの平均重量比を呈し、
前記短繊維が、前記ウェブの前記繊維材料の総重量の約１０重量％〜約６０重量％を構成し、
前記熱安定性不織布ウェブが、約１０％未満の熱収縮を呈する、方法。
［項目１７］
前記高速気体流が、少なくとも約３５０℃の公称設定値に設定される、項目１６に記載の方法。
［項目１８］
前記高速気体流が、少なくとも約３９０℃の公称設定値に設定される、項目１６に記載の方法。
［項目１９］
前記方法が、前記繊維の塊の前記繊維の少なくとも一部を互いに固着させて熱安定性不織布ウェブを形成することを更に含む、項目１６に記載の方法。
【手続補正２】
【補正対象書類名】特許請求の範囲
【補正対象項目名】全文
【補正方法】変更
【補正の内容】
【特許請求の範囲】
【請求項１】
熱安定性不織布ウェブであって、
メルトブローン繊維であって、
少なくとも選択されたメルトブローン繊維が、各々ポリ（ブチレンテレフタレート）（ＰＢＴ）とポリ（エチレンテレフタレート）（ＰＥＴ）とのブレンドを含むブレンドポリマー繊維であり、約８０：２０〜約３０：７０のＰＢＴ対ＰＥＴの平均重量比を呈する、メルトブローン繊維と、
短繊維であって、
前記ウェブの前記繊維材料の総重量の約１０重量％〜約６０重量％を構成する、短繊維と、を含み、
前記熱安定性不織布ウェブが、約１０％未満の熱収縮を呈する、熱安定性不織布ウェブ。
【請求項２】
前記メルトブローン繊維が、約７０：３０〜約３５：６５のＰＢＴ対ＰＥＴの平均重量比を呈する、請求項１に記載のウェブ。
【請求項３】
前記短繊維が、前記ウェブの前記繊維材料の総重量の約３０重量％〜約６０重量％を構成する、請求項１に記載のウェブ。
【請求項４】
前記短繊維が、ＰＥＴ繊維である、請求項１に記載のウェブ。
【請求項５】
前記ウェブが、約６％未満の熱収縮を呈する、請求項１に記載のウェブ。
【請求項６】
請求項１に記載の熱安定性不織布ウェブを含む物品であって、断熱物品、防音物品、液体濾過物品、又はこれらの組み合わせからなる群から選択される、物品。
【請求項７】
メルトブローンダイのオリフィスを通して溶融ブレンドポリマーフローストリームを押し出して、溶融ブレンドポリマーフィラメントを形成することと、
高速気体流で前記溶融ブレンドポリマーフィラメントを細径化して、ブレンドポリマーメルトブローン繊維の空中流を形成することと、
短繊維の空中流を前記ブレンドポリマーメルトブローン繊維の空中流内に注入すること
と、
前記混在したメルトブローンブレンドポリマー繊維及び短繊維を繊維の塊として捕集することと、を含む方法であって、
少なくとも選択されたメルトブローンブレンドポリマー繊維が、各々、ポリ（ブチレンテレフタレート）（ＰＢＴ）とポリ（エチレンテレフタレート）（ＰＥＴ）とのブレンドを含み、
前記メルトブローン繊維が、約８０：２０〜約３０：７０のＰＢＴ対ＰＥＴの平均重量比を呈し、
前記短繊維が、前記ウェブの前記繊維材料の総重量の約１０重量％〜約６０重量％を構成し、
前記熱安定性不織布ウェブが、約１０％未満の熱収縮を呈する、方法。